(57)【特許請求の範囲】
【請求項１】
第１の側を向く第１面および第２の側を向く第２面を有し、前記第１面と前記第２面とをつなぐ第１貫通孔を有する第１筐体部品と、
二色成形によって形成され、前記第１筐体部品の前記第２の側に着脱可能に取り付けられる第２筐体部品と、
前記第１貫通孔の前記第１の側に配置される音響部品とを備え、
前記第１筐体部品および前記第２筐体部品は、互いに組み合わさることによって、前記第１貫通孔の前記第２の側の端から外部に通じる通路を形成し、前記第１筐体部品は前記第２の側に向く平坦面である第３面を有し、前記第２筐体部品は前記第３面に対向する第４面を有し、前記第４面には、前記第３面に当接するように突出するリブが設けられており、前記リブは、前記第１貫通孔を含む領域を他の部分から隔てるように配置されており、前記リブは弾性材料で形成されている、電子機器。
【請求項２】
前記リブは、前記リブが設けられた面に垂直な方向から見たときにＵ字形状またはＬ字形状である、請求項１に記載の電子機器。
【請求項３】
前記第１貫通孔と前記音響部品との間に防水膜が配置されている、請求項１または２に記載の電子機器。
【請求項４】
前記第２筐体部品は外部に向けて開口する第１開口部を有し、前記通路は、前記第１開口部を通じて外部に通じる、請求項１から３のいずれかに記載の電子機器。
【発明の詳細な説明】
【技術分野】
【０００１】
本開示は、電子機器に関するものである。
【背景技術】
【０００２】
電子機器の一種として携帯端末が挙げられる。筐体に音声が通過するための貫通孔が設けられている携帯端末が、特開２０１５−６１１９０号公報（特許文献１）に記載されている。
【先行技術文献】
【特許文献】
【０００３】
【特許文献１】特開２０１５−６１１９０号公報
【発明の概要】
【発明が解決しようとする課題】
【０００４】
電子機器に内蔵される音響部品は、外部からの音声を拾えるように、または、外部に向けて音声を発することができるように、通常、外部に向けて開口する貫通孔に近い位置に配置される。たとえば筐体をユーザが持ったときなどに、筐体に含まれる部品同士が接触して筐体内に音が発生し、この音が音響部品に伝わってしまう場合がある。
【０００５】
そこで、本開示は、筐体内のいずれかの箇所で発せられる音が、筐体内の部品同士の隙間を伝わってきて音響部品に伝わることを抑制できる電子機器を提供することを目的とする。
【課題を解決するための手段】
【０００６】
上記目的を達成するため、本開示に基づく電子機器は、第１の側を向く第１面および第２の側を向く第２面を有し、上記第１面と上記第２面とをつなぐ第１貫通孔を有する第１筐体部品と、上記第１筐体部品の上記第２の側に着脱可能に取り付けられる第２筐体部品と、上記第１貫通孔の上記第１の側に配置される音響部品とを備え、上記第１筐体部品および上記第２筐体部品は、互いに組み合わさることによって、上記第１貫通孔の上記第２の側の端から外部に通じる通路を形成し、上記第１筐体部品は上記第２の側に向く第３面を有し、上記第２筐体部品は上記第３面に対向する第４面を有し、上記第３面および上記第４面のうち一方には、他方に当接するように突出するリブが設けられており、上記リブは、上記第１貫通孔を含む領域を他の部分から隔てるように配置されている。
【発明の効果】
【０００７】
本開示によれば、第３面に当接するように突出するリブが第４面に設けられ、このリブは、第１貫通孔を含む領域を他の部分から隔てているので、筐体内のいずれかの箇所で発せられる音が、筐体内の部品同士の隙間を伝わってきて音響部品に伝わることを抑制することができる。
【図面の簡単な説明】
【０００８】
【図１】本開示に基づく実施の形態１における電子機器の斜視図である。
【図２】本開示に基づく実施の形態１における電子機器に設けられた第１開口部の近傍の部分拡大斜視図である。
【図３】図２におけるＩＩＩ−ＩＩＩ線に関する矢視断面図である。
【図４】図１に示した電子機器から第２筐体部品を取り外した状態の斜視図である。
【図５】本開示に基づく実施の形態１における電子機器に設けられた第１溝の近傍の部分拡大斜視図である。
【図６】図５におけるＶＩ−ＶＩ線に関する矢視断面図である。
【図７】本開示に基づく実施の形態１における電子機器に含まれる第１筐体部品を単独で取り出し、第１の向きから見た部分斜視図である。
【図８】本開示に基づく実施の形態１における電子機器に含まれる第１筐体部品を単独で取り出し、第２の向きから見た部分斜視図である。
【図９】本開示に基づく実施の形態１における電子機器の第１の変形例の部分断面図である。
【図１０】本開示に基づく実施の形態１における電子機器の第２の変形例の部分断面図である。
【図１１】本開示に基づく実施の形態２における電子機器に含まれる第２筐体部品を単独で取り出し、裏側を第１の向きから見た部分斜視図である。
【図１２】本開示に基づく実施の形態２における電子機器に含まれる第２筐体部品を単独で取り出し、裏側を垂直な方向から見た部分平面図である。
【図１３】本開示に基づく実施の形態２における電子機器に含まれる第２筐体部品を単独で取り出し、裏側を第２の向きから見た部分斜視図である。
【図１４】本開示に基づく実施の形態２における電子機器の部分拡大透視図である。
【図１５】図１４におけるＸＶ−ＸＶ線に関する矢視断面図である。
【図１６】本開示に基づく実施の形態３における電子機器の部分斜視図である。
【図１７】本開示に基づく実施の形態３における電子機器の部分拡大透視図である。
【発明を実施するための形態】
【０００９】
図面において示す寸法比は、必ずしも忠実に現実のとおりを表しているとは限らず、説明の便宜のために寸法比を誇張して示している場合がある。以下の説明において、上または下の概念に言及する際には、絶対的な上または下を意味するものではなく、図示された姿勢の中での相対的な上または下を意味するものである。
【００１０】
（実施の形態１）
（構成）
図１〜図８を参照して、本開示に基づく実施の形態１における電子機器について説明する。本実施の形態における電子機器の外観を図１に示す。ここでは、一例として電子機器がスマートフォンであるものとして説明するが、電子機器の種類はスマートフォンとは限らない。
【００１１】
電子機器１０１はディスプレイを備えていてもよいが、図１では、電子機器１０１のディスプレイがある側とは反対側の面を見ている。電子機器１０１は、筐体２０を備える。筐体２０は、たとえば略長方形の外形を有する。筐体２０は、背面側の筐体部品２１と、正面側の筐体部品２２とを含む。筐体部品２２には、ディスプレイ、ボタンなどのための開口部が設けられていてもよい。図１では、背面側の筐体部品２１が主に見えている。電子機器１０１は、たとえば撮像部２５を備える。撮像部２５は、たとえばカメラ、センサなどを含む。筐体部品２１は、第１開口部６を有する。図１に示した例では、第１開口部６は、筐体部品２１の短辺側の側面に設けられている。
【００１２】
図１に示した電子機器１０１のうち第１開口部６の近傍を拡大したところを図２に示す。図２におけるＩＩＩ−ＩＩＩ線に関する矢視断面図を図３に示す。
【００１３】
筐体部品２１は、第１筐体部品２１１と第２筐体部品２１２とを含む。ここで示す例では、第２筐体部品２１２は二色成形によって形成されている。筐体部品２１と筐体部品２２とによって囲まれた空間内には、基板１０に実装された音響部品１が配置されており、音響部品１はたとえばマイクを含む。音響部品１の全体がマイクであってもよい。音響部品１はたとえば円柱形である。ここで示す例では、音響部品１は環状の弾性部材４に押し当てられている。音響部品１が円柱形である場合、弾性部材４としてはたとえば円形の環状のものが用いられる。弾性部材４は円形の外形を有し、中心に円形の貫通孔４ｚを有する。弾性部材４の上側には、防水膜保持部５ａに保持された防水膜５が配置されている。防水膜５は、空気は通すことができ、空気の振動も通すことができるが、水は通さない性質の膜である。防水膜５は、公知技術によって実現可能である。弾性部材４と防水膜保持部５ａとは積層されることによって積層体をなしている。ここで示す例では、弾性部材４の外径と防水膜保持部５ａの外径とはほぼ等しい。弾性部材４の内径と防水膜保持部５ａの内径とはほぼ等しい。弾性部材４の貫通孔４ｚの内部空間は、音響部品１の中央部に接する空間である。
【００１４】
図１に示した電子機器１０１から第２筐体部品２１２を取り外したところを図４に示す。第２筐体部品２１２を取り外したことによって、第１筐体部品２１１が見えている。第１筐体部品２１１の一部に第１溝１３が設けられている。第１溝１３の延長上に第１貫通孔７が設けられている。第１溝１３の位置は、図１および図２で示した第１開口部６の位置に対応している。図４に示した第１溝１３の近傍を拡大したところを図５に示す。図５におけるＶＩ−ＶＩ線に関する矢視断面図を図６に示す。
【００１５】
図３に示すように、本実施の形態における電子機器１０１は、第１筐体部品２１１と、第２筐体部品２１２と、音響部品１とを備える。第１筐体部品２１１は、第１の側９１を向く第１面４１および第２の側９２を向く第２面４２を有し、第１面４１と第２面４２とをつなぐ第１貫通孔７を有する。第２筐体部品２１２は、第１筐体部品２１１の第２の側９２に着脱可能に取り付けられている。音響部品１は、第１貫通孔７の第１の側９１に配置される。第１筐体部品２１１および第２筐体部品２１２は、互いに組み合わさることによって、第１貫通孔７の第２の側９２の端から外部に通じる通路８を形成する。第１筐体部品２１１は第２の側９２に向く第３面４３を有する。第２筐体部品２１２は第３面４３に対向する第４面４４を有する。第３面４３および第４面４４のうち一方には、他方に当接するように突出するリブが設けられている。リブが設けられるのは第３面４３と第４面４４とのいずれでもよいが、図３に示す例では、第４面４４に、第３面４３に当接するように突出するリブ１５が設けられている。リブ１５は、第１貫通孔７を含む領域を他の部分から隔てるように配置されている。リブ１５は直線状であっても曲線状であってもよい。リブ１５は連続的なものに限らず、断続的なものであってもよい。リブ１５は、第１貫通孔７を含む領域を他の部分から隔てることができればよく、その隔て方は、完璧なものでなくてもよい。
【００１６】
電子機器１０１においては、第１貫通孔７を覆うように防水膜５が配置されている。音響部品１は、防水膜５の第１の側９１に配置されている。図６に示すように、第１貫通孔７は、第１筐体部品２１１に第２筐体部品２１２を取り付けていない状態で第２の側９２から第１の側９１を見たとき防水膜５を直接見通すことができる形状である。図３に示すように、第１筐体部品２１１および第２筐体部品２１２は、互いに組み合わさることによって、第１貫通孔７の第２の側９２の端から外部に通じる通路８を形成する。
【００１７】
第１筐体部品２１１を単独で取り出したところを図７に示す。第１筐体部品２１１を図６とは異なる向きから見たところを図８に示す。図７および図８においては、第１筐体部品２１１の第３面４３が見えているが、第３面４３には図７および図８に示すように多少の凹凸があってもよい。第３面４３は必ずしも完全な平面とは限らない。
【００１８】
（作用・効果）
本実施の形態では、第３面４３および第４面４４のうち一方に、他方に当接するように突出するリブ１５が設けられ、リブ１５は、第１貫通孔７を含む領域を他の部分から隔てているので、筐体内のいずれかの箇所で発せられる音が、筐体内の部品同士の隙間を伝わってきて音響部品に伝わることを抑制することができる。ここでいう「筐体内のいずれかの箇所で発せられる音」とは、電子機器内に配置された何らかの装置が発する音だけでなく、ユーザが筐体の外側の面すなわち第２筐体部品２１２の外側の面を触ったときに生じるガサガサ音を含む。このことは後述する実施の形態２，３においても同様である。
【００１９】
電子機器１０１を洗浄する際には、第２筐体部品２１２を取り外した状態で洗浄することとしてもよい。
【００２０】
本実施の形態では、図３に示すように、音響部品１が第１貫通孔７に対向するように配置されている例を示したが、音響部品１は、必ずしも第１貫通孔７に対向するように配置されているとは限らない。音響部品１は、第１貫通孔７の第１の側９１にあればよく、音響部品１は、第１貫通孔７の方を向かずに異なる向きで配置されていてもよい。たとえば防水膜５から離れたところに音響部品１が配置されていてもよい。音響部品１は、第１貫通孔７を第１の側９１に投影した範囲から外れるところに配置されていてもよい。
【００２１】
第１貫通孔７および通路８は、外部からこの電子機器１０１に到達した音を、音響部品１へと伝えるためのものである。あるいは、第１貫通孔７および通路８は、音響部品１から発せられる音を電子機器１０１の外部へと伝えるためのものである。音響部品１と筐体２０外部の空間との間では、第１貫通孔７および通路８を経由することで、音は自由に行き来することができる。第１貫通孔７の近傍に防水膜５が配置されている場合には、音は防水膜５も通過することとなる。
【００２２】
図１〜図３に示すように、第２筐体部品２１２は外部に向けて開口する第１開口部６を有し、通路８は、第１開口部６を通じて外部に通じることが好ましい。この構成を採用することにより、通路８を第２筐体部品２１２の所望の位置において外部に通じさせることができる。第２筐体部品２１２が第１開口部６を有していない場合には、図９に示す電子機器１０２のような構成が考えられる。電子機器１０２においては、第２筐体部品２１２が単独で開口部を有しているのではなく、第１筐体部品２１１と第２筐体部品２１２とが組み合わさることで、第１筐体部品２１１と第２筐体部品２１２との境目に通路８の出口９が構成されている。このような出口９を得るためには、たとえば第１筐体部品２１１および第２筐体部品２１２の少なくともいずれか一方に切欠きを設けておいて他方と組み合わさることによって一定の開口部となるようにしてもよい。
【００２３】
本実施の形態で示したように、第１筐体部品２１１は、第２の側９２に第１溝１３を有し、第１溝１３は第１貫通孔７とつながっていることが好ましい。この構成を採用することにより、第１溝１３によって音声を導くことができる。たとえば音響部品１がマイクなどのように音声を拾う装置である場合には、たとえ第１貫通孔７が第１開口部６から離れていても、第１開口部６から入った音声を第１溝１３を通じて第１貫通孔７へと導くことができる。たとえば音響部品１がスピーカなどのように音声を発する装置である場合には、たとえ第１貫通孔７が第１開口部６から離れていても、音響部品１から発せられた音声は第１溝１３を通じて第１開口部６へを導くことができる。
【００２４】
本実施の形態で示したように、通路８の内面は、第１溝１３の内面の一部を含むことが好ましい。この構成を採用することにより、容易に通路８を形成することができる。
【００２５】
ここで示した例では、図３に示すように、防水膜５は、第１貫通孔７の第１の側９１に配置されることによって第１貫通孔７を覆っていたが、このような覆い方に限らない。たとえば、防水膜５は、第１貫通孔７の第２の側９２に配置されていてもよい。防水膜５は第１面４１に配置される代わりに第２面４２に配置されてもよい。防水膜５は、第１貫通穴７の途中のいずれかの位置に配置されていてもよい。
【００２６】
ここで示した例では、図１〜図３に示すように、筐体部品２１と筐体部品２２とが組み合わさって筐体２０をなしており、筐体部品２１が第１筐体部品２１１と第２筐体部品２１２とを含んでいたが、このような構成に限らない。たとえば、第１筐体部品２１１に相当する部分が筐体部品２２の一部であってもよい。その場合は、筐体部品２１は第２筐体部品２１２を含むが、第１筐体部品２１１を含まない。ここで示した例では、筐体部品２１が電子部品の背面側の部品であって筐体部品２２が電子部品の正面側の部品であるものとしたが、この組合せは逆であってもよい。
【００２７】
リブ１５の先端は第３面４３に当接するので、リブ１５は軟らかい材料によって形成されていることが好ましい。リブ１５は弾性材料で形成されていることが好ましい。リブ１５が弾性材料で形成されていれば、リブ１５の先端を第３面４３に押し付けて容易に圧縮変形させることができるので、寸法誤差の問題を軽減することができ、円滑に組み立てることができる。リブ１５の先端をある程度圧縮変形させて押し付けることとした方が、リブ１５と第３面４３との間に隙間を生じさせず十分に密着させることができる。リブ１５は弾性材料で形成されていることが好ましいことは、以下の実施の形態においても同様である。
【００２８】
本実施の形態では、第２筐体部品２１２にリブ１５が設けられていれば効果を得ることができるので、新たな部品を必要としない。したがって、部品点数が増えることを避けることができる。
【００２９】
本実施の形態では、第４面４４に、第３面４３に当接するように突出するリブ１５が設けられている例を挙げて説明してきたが、上述したように、リブが設けられる面は第４面４４に限らず第３面４３であってもよい。たとえば図１０に示す電子機器１０３のような構成であってもよい。電子機器１０３においては、基本的な構成は、電子機器１０１と共通しているが、第１筐体部品２１１の第３面４３にリブ１５ｘが設けられており、リブ１５ｘは、第２筐体部品２１２の第４面４４に当接している。リブ１５ｘについても弾性材料で形成されていることが好ましいことは、リブ１５と同様である。後述するリブの形状についての説明は、リブ１５ｘにも同様にあてはまる。
【００３０】
本実施の形態では、図３に示すように、第１筐体部品２１１に設けられた第２面４２と第３面４３とが異なる高さにある例を示した。これはあくまで一例であって、第２面４２と第３面４３は同じ高さにあってもよい。第２面４２と第３面４３は、たとえばひとつづきの面であってもよい。たとえば連続した同一面上のある１つの部位を第２面４２とし、他の１つの部位を第３面４３とみなすこととしてもよい。
【００３１】
（実施の形態２）
（構成）
図１〜図８に加えて図１１〜図１５を参照して、本開示に基づく実施の形態２における電子機器について説明する。本実施の形態における電子機器の基本的な構成については、実施の形態１で説明したものと同様であるので、説明を繰り返さない。図１〜図８を参照して実施の形態１で説明したことは、本実施の形態における電子機器にもあてはまる。
【００３２】
本実施の形態では、第２筐体部品２１２の第４面４４にＵ字形状のリブ１５ｈが設けられている。以下詳しく説明する。
【００３３】
本実施の形態における電子機器に含まれる第２筐体部品２１２を単独で取り出し、裏側を見たところを図１１に示す。第２筐体部品２１２の裏側を垂直な方向から見たところを図１２に示す。第２筐体部品２１２をさらに異なる向きから見たところを図１３に示す。
【００３４】
第２筐体部品２１２は、側壁部１１を備える。側壁部１１に第１開口部６が設けられている。第２筐体部品２１２の側壁部１１に囲まれた内側の表面は第４面４４となっている。側壁部１１の内側で、第２筐体部品２１２を第１筐体部品２１２に取り付けたときに第１溝１３に対応する位置に、凸部１４が設けられている。ここで示す例では、凸部１４は側壁部１１につながるように設けられている。凸部１４は、たとえば第１材料部１４ａと第２材料部１４ｂとを含む。第１材料部１４ａに取り囲まれるように第２材料部１４ｂが配置されている。第１材料部１４ａと第２材料部１４ｂとはたとえば二色成形で一体的に形成される。凸部１４は単一材料で形成されていてもよい。凸部１４は壁状である。凸部１４は、第１溝１３に入り込むことができる形状である。凸部１４の厚みは、第１溝１３の幅より小さい。第１開口部６は凸部１４の中心線上に配置されている。
【００３５】
凸部１４を取り囲むようにリブ１５ｈが設けられている。リブ１５ｈは凸部１４から離隔していてよい。図１２に示したように、リブ１５ｈは、リブ１５ｈが設けられた面に垂直な方向から見たときにＵ字形状またはＬ字形状である。本実施の形態で示す例では、リブ１５ｈは第４面４４に設けられているので、第４面４４に垂直な方向から見たときにＵ字形状またはＬ字形状であればよい。本実施の形態においては、一例としてリブ１５ｈはＵ字形状である。第４面４４から見たリブ１５ｈの高さは凸部１４の高さに比べて低くなっている。
【００３６】
本実施の形態における電子機器の一部を拡大したところを図１４に示す。図１４では、第２筐体部品２１２を透視した状態で示している。図１４では、第２筐体部品２１２は二点鎖線で示され、第１筐体部品２１１は実線で示されている。ここで示した例では、リブ１５ｈは第１溝１３を囲むようなＵ字形状である。図１４におけるＸＶ−ＸＶ線に関する矢視断面図を図１５に示す。第１筐体部品２１１に設けられた第１溝１３に、第２筐体部品２１２に設けられた凸部１４が嵌まり込んでいる。第１溝１３の内部空間のうち図１５における上側の約半分を凸部１４が塞ぐことによって、下側の約半分が残され、この残された部分によって通路８が形成されている。図１５においては、通路８は紙面奥手前方向に延在している。
【００３７】
図１４および図１５に示すように、リブ１５ｈは、第１貫通孔７を含む領域を他の部分から隔てるように配置されている。あるいは、第１溝１３がある場合には、次のような構成であってもよい。第１筐体部品２１１は第２の側９２に向く第３面４３を有し、第２筐体部品２１２は第３面４３に対向する第４面４４を有し、第４面４４には、第３面４３に当接するように突出するリブ１５ｈが設けられており、リブ１５ｈは、第１貫通孔７および第１溝１３を含む領域を他の部分から隔てるように配置されている。
【００３８】
図１５に示した例では、第２筐体部品２１２は二色成形で形成されている。第２筐体部品２１２は硬い材料と軟らかい材料との組合せで形成されている。ここでいう硬い材料はたとえばポリカーボネート樹脂であってもよい。ここでいう軟らかい材料はたとえばエラストマーであってもよい。凸部１４は、第１材料部１４ａと第２材料部１４ｂとを含むことが好ましい。第１材料部１４ａは硬い材料で形成されており、第２材料部１４ｂは軟らかい材料で形成されていることが好ましい。
【００３９】
（作用・効果）
本実施の形態では、リブ１５ｈが設けられているので、筐体内のいずれかの箇所で発せられる音が、図１４および図１５に矢印９４で示すように第１筐体部品２１１と第２筐体部品２１２との間の隙間を伝わってきたとしても、その音が、第１貫通孔７、または、第１貫通孔７および第１溝１３へと進入することがリブ１５ｈによって妨げられるので、音響部品１がたとえばマイクなどのように音声を拾う機能を有する装置であってとしても、不所望な音が音響部品１に拾われることを防止することができる。
【００４０】
本実施の形態では、リブがＵ字形状である例を示して説明したが、リブはＬ字形状であってもよい。
【００４１】
（実施の形態３）
（構成）
図１６〜図１７を参照して、本開示に基づく実施の形態３における電子機器について説明する。本実施の形態における電子機器の基本的な構成については、実施の形態１で説明したものと同様であるので、説明を繰り返さない。
【００４２】
本実施の形態における電子機器の一部を図１６に示す。電子機器１０４は、筐体２０を備える。筐体２０は、筐体部品２１と筐体部品２２とを含む。電子機器１０４は、撮像部２５を備える。筐体部品２１の側面に第１開口部６ｉが設けられている。ここで示す例では、撮像部２５に近い位置に第１開口部６ｉが設けられているが、これはあくまで一例であって、第１開口部６ｉが設けられるのはこのような位置とは限らない。撮像部２５の存在は必須ではなく、あくまで説明の便宜のために例示しているものに過ぎない。
【００４３】
電子機器１０４のうち、第１開口部６ｉの近傍を、第２筐体部品２１２を透視するようにして図１７に示す。図１７では、第２筐体部品２１２は二点鎖線で示され、第１筐体部品２１１は実線で示されている。筐体部品２１は、第１筐体部品２１１と第２筐体部品２１２とを備える。第２筐体部品２１２の側壁部に第１開口部６ｉが設けられている。第１筐体部品２１１には第１溝１３ｉおよび第１貫通孔７ｉが設けられている。第１溝１３ｉは、第１開口部６ｉと第１貫通孔７ｉとを結ぶように設けられている。第１溝１３ｉが第２筐体部品２１２によって塞がれることによって通路８ｉが形成されている。
【００４４】
第２筐体部品２１２の第１筐体部品２１１に対向する面にリブ１５ｉが設けられている。リブ１５ｉはＬ字形状となっている。第１筐体部品２１１の第１貫通孔７ｉの周辺は、略長方形の領域にわたって凹部となっている。第１溝１３ｉは、この凹部につながっている。リブ１５ｉはこの凹部のうち第１溝１３ｉから遠い側の２辺に沿うように配置されている。
【００４５】
（作用・効果）
本実施の形態では、リブ１５ｉが設けられているので、筐体内のいずれかの箇所で発せられる音が、図１７に矢印９５，９６で示すように第１筐体部品２１１と第２筐体部品２１２との間の隙間を伝わってきたとしても、その音が、第１貫通孔７およびその周辺の凹部へと進入することがリブ１５ｉによって妨げられるので、音響部品１がたとえばマイクなどのように音声を拾う装置であってとしても、不所望な音が音響部品１に拾われることを防止することができる。図１７において、リブ１５ｉの上端と第１筐体部品２１１の外縁との間およびリブ１５ｉの左端と撮像部２５との間にはわずかな隙間があるが、このようにわずかな隙間があってもよい。図１７に示した構成であれば、リブ１５ｉは伝わってくる音の大部分を遮ることができるので、十分に効果を得ることができる。
【００４６】
実施の形態１〜３のいずれにおいてもいえることであるが、音響部品１はマイクを含むことが好ましい。マイクは音声を拾う装置であるので、音響部品１がマイクを含む場合には、特に効果が顕著となる。
【００４７】
実施の形態１〜３では、リブ１５，１５ｈ，１５ｉが設けられている構成について説明したが、このように筐体部品同士の隙間を伝わってくる音が音響部品に入ることを防ぐためにリブを設けた構造は、実施の形態１で説明したように防水膜５を備える電子機器に限らない。たとえば防水膜５がなく、第１貫通孔７を第１面４１側で塞ぐように音響部品１が配置されていてもよい。電子機器が防水膜５を備えていれば、電子機器に防水性能をもたせることができるので、好ましい。たとえば第１貫通孔７と音響部品１との間に防水膜５が配置されていることが好ましい。この構成を採用することにより、電子機器が濡れた場合でも、音響部品１が水に触れることを防止することができる。
【００４８】
第１貫通孔７が、第２の側９２から第１の側９１を見たとき防水膜５を直接見通すことができる形状であるか否かを問わず、リブ構造は適用可能である。第２面４２と第３面４３とは別々の高さの位置にある面であってもよいが、ほぼ同一の高さの位置にある面であってもよい。
【００４９】
なお、上記実施の形態のうち複数を適宜組み合わせて採用してもよい。
なお、ここまで「電子機器」という用語を用いて説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電卓、電子手帳、電子辞書、電子書籍リーダー、デジタルカメラ、ビデオカメラ、ラジオ受信機、ナビゲーションシステム、測定機などを含む広い概念である。携帯電話または携帯情報端末の概念にはスマートフォンが含まれる。
【００５０】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００５１】
１  音響部品、４  弾性部材、４ｚ  （弾性部材の）貫通孔、５  防水膜、５ａ  防水膜保持部、６，６ｉ  第１開口部、７，７ｉ  第１貫通孔、８，８ｉ  通路、９  出口、１０  基板、１１  側壁部、１３，１３ｉ  第１溝、１４  凸部、１４ａ  第１材料部、１４ｂ  第２材料部、１５，１５ｈ，１５ｉ，１５ｘ  リブ、２０  筐体、２１，２２  筐体部品、２５  撮像部、４１  第１面、４２  第２面、４３  第３面、４４  第４面、９１  第１の側、９２  第２の側、９３  （水の動きを示す）矢印、９４，９５，９６  （音の進行を示す）矢印、１０１，１０２，１０３，１０４  電子機器、２１１  第１筐体部品、２１２  第２筐体部品。
【図１】
0006698362.tif 000002
【図２】
0006698362.tif 000003
【図３】
0006698362.tif 000004
【図４】
0006698362.tif 000005
【図５】
0006698362.tif 000006
【図６】
0006698362.tif 000007
【図７】
0006698362.tif 000008
【図８】
0006698362.tif 000009
【図９】
0006698362.tif 000010
【図１０】
0006698362.tif 000011
【図１１】
0006698362.tif 000012
【図１２】
0006698362.tif 000013
【図１３】
0006698362.tif 000014
【図１４】
0006698362.tif 000015
【図１５】
0006698362.tif 000016
【図１６】
0006698362.tif 000017
【図１７】
0006698362.tif 000018